(57)【要約】【課題】本発明の目的は、据付面積の縮小化を図った直結給水装置を得ることにある。【解決手段】直結給水装置１１は、本体ハウジング１２と、縦型ポンプ６５と、第１の吸込配管４２と、第２の吸込配管４３と、吐出配管７３とを具備する。縦型ポンプ６５は、吸込口６５ａと吐出口６５ｂとを有する。第１の吸込配管４２は、長手方向を横向きにして配置され、途中に逆流防止部５１を有し、外部の給水源から水を供給される。第２の吸込配管４３は、長手方向を横向きにして第１の吸込配管４２の２次側に接続され、縦型ポンプ６５の下方に配置され、縦型ポンプ６５の吸込口６５ａと接続される。吐出配管７３は、長手方向を横向きにして第２の吸込配管４３に対して段違いになるように上方に配置され、縦型ポンプ６５の吐出口６５ｂと接続される。そして、吐出配管６５の下方であり、第２の吸込配管４３と本体ハウジング１２との間に収容空間が形成される。【選択図】      図１
2006316719.tif 000002
【特許請求の範囲】
【請求項１】
本体ハウジングと、
前記本体ハウジングの内部に納められ、下部に設けられた吸込口と前記吸込口より上部に設けられた吐出口とを有する縦型ポンプと、
長手方向を横向きにして配置され、途中に逆流防止部を有し、外部の給水源から水が供給される第１の吸込配管と、
長手方向を横向きにして前記第１の吸込配管の２次側に接続され、前記縦型ポンプの下方に配置され、前記縦型ポンプの前記吸込口と接続される第２の吸込配管と、
長手方向を横向きにして前記第２の吸込配管に対して段違いになるように上方に配置され、前記縦型ポンプの前記吐出口と接続される吐出配管とを具備し、
前記吐出配管の下方であり、前記第２の吸込配管と前記本体ハウジングとの間に収容空間が形成されることを特徴とする直結給水装置。
【請求項２】
請求項１の記載において、
前記第１の吸込配管と前記第２の吸込配管との間に設けられ水の流れ方向を１８０度反転させる曲管部をさらに具備し、
前記第１の吸込配管は、前記第２の吸込配管と並んで配置され、かつ、前記第１の吸込配管の一部が前記収容空間に収容されることを特徴とする直結給水装置。
【請求項３】
請求項２の記載において、
前記第２の吸込配管の下方に設けられ、途中に他の逆流防止部を有する第３の吸込配管と、
前記第１の吸込配管の上流側に設けられ、前記第１の吸込配管と前記第３の吸込配管とに水を分流して導く分岐部と、
前記第１の吸込配管と前記第２の吸込配管との間に設けられ、前記第３の吸込配管を通過した水を、前記第１の吸込配管を通過した水に合流させる合流部と、
をさらに具備することを特徴とする直結給水装置。
【請求項４】
請求項３の記載において、
前記第３の吸込配管の口径は前記第１の吸込配管の口径に比して小さく、かつ、前記第３の吸込配管の軸線高さが前記第１の吸込配管の軸線高さと同一であることを特徴とする直結給水装置。
【発明の詳細な説明】
【技術分野】
【０００１】
本発明は、パッケージ型の直結給水装置に関し、特に据付面積の縮小化を図った給水装置内の配管レイアウトに関する。
【背景技術】
【０００２】
従来、水道管に直接接続可能な、いわゆる直結給水装置が提供されている。中でも、吸込配管からポンプ、吐出配管、制御装置などの全ての構成要素を１つのハウジング内に納めたパッケージ型の直結給水装置がよく利用されている。  
従来のパッケージ型の直結給水装置の一例を、図１３に示す。直結給水装置１０１は、ハウジング１０２の中に縦型の多段ポンプ１０３を有する。この縦型多段ポンプ１０３は、ポンプの下部において鉛直方向に開口した吸込口と、中位部において水平方向に開口した吐出口とを有する。
【０００３】
縦型多段ポンプ１０３の下方には、上面に接続口を有する吸込配管１０４が設けられている。縦型多段ポンプ１０３の吸込口は、ボール弁などを介して、この吸込配管１０４に接続されている。吸込配管１０４は、ハウジング１０２に設けられた支持部材１０５の上に載置されている。
【０００４】
一方、縦型多段ポンプ１０３の吐出口には、連通管を介して、吐出配管１０６が接続されている。この吐出配管１０６も、吸込配管１０４が載置された支持部材１０５と同一の部材上に載置されている。すなわち、吐出配管１０６と吸込配管１０４とを略同じ高さに配置し、両配管１０４，１０６を同一の支持部材１０５で支持している。両配管１０４，１０６を同一の高さで支持することで、支持部材１０５の構造を単純化するためである。  
また、特許文献１は、吸込配管をＵ字形状に形成し、横幅寸法の縮小化を図った直結給水装置を開示している。
【特許文献１】特開２００１−０５０１７０号公報（第４項左欄、図３（ｂ））
【発明の開示】
【発明が解決しようとする課題】
【０００５】
このようなパッケージ型の直結給水装置は、ポンプや配管など、装置に必要な全ての構成部品を内部に有するため、全体としてかなり大型な装置となる傾向にある。  
しかし、このようなパッケージ型の直結給水装置は、設置される場所が限定されている。すなわち、直結給水装置は、デッドスペースとなる限られた狭い空間、例えば客先に施工された水道本管周りの壁面沿いや階段下に設置されることが多い。このため、直結給水装置は、少しでも小型化することが望まれている。  
本発明の目的は、据付面積の縮小化を図った直結給水装置を得ることにある。
【課題を解決するための手段】
【０００６】
本発明の一つの形態に係る直結給水装置は、本体ハウジングと、縦型ポンプと、第１の吸込配管と、第２の吸込配管と、吐出配管とを具備する。縦型ポンプは、本体ハウジングの内部に納められ、下部に設けられた吸込口と吸込口より上部に設けられた吐出口とを有する。第１の吸込配管は、長手方向を横向きにして配置され、途中に逆流防止部を有し、外部の給水源から水が供給される。第２の吸込配管は、長手方向を横向きにして第１の吸込配管の２次側に接続され、縦型ポンプの下方に配置され、縦型ポンプの吸込口と接続される。吐出配管は、長手方向を横向きにして第２の吸込配管に対して段違いになるように上方に配置され、縦型ポンプの吐出口と接続される。そして、吐出配管の下方であり、第２の吸込配管と本体ハウジングとの間には、収容空間が形成される。  
なお、ここで「接続」とは、直接的に配管同士が接続されることはもちろん、他の配管等を介して間接的に接続されることも含む。
【発明の効果】
【０００７】
この構成によれば、吐出配管の下方に収容空間が形成される。この収容空間に、従来、他のスペースに設けられていた配管等を収容することにより、配管レイアウトに必要なスペースを小さくすることができる。これにより、据付面積の縮小化を図ることができる。
【発明を実施するための最良の形態】
【０００８】
〔第１の実施形態〕
以下に本発明の第１の実施形態を、図１から図７を参照して説明する。  
図１は、本発明の第１の実施形態に係る直結給水装置１１の側断面図を示し、図２はＡ１−Ａ１線に沿う正断面図、図３はＡ２−Ａ２線に沿う正断面図を示している。直結給水装置１１は、図１から図３に示すように、本体ハウジング１２、吸込配管部１３、縦型ポンプ部１４、および吐出配管部１５を備える。
【０００９】
本体ハウジング１２は、背壁２１、底壁２２、および前面カバー２３を有する。前面カバー２３は、前壁２５、上壁２６、右側壁２７、および左側壁２８を有する。したがって、前面カバー２３を背壁２１および底壁２２に被せることで、本体ハウジング１２は箱型のパッケージとなる。
【００１０】
本体ハウジング１２の左右両側壁２７，２８の下部には、図２で示すように、それぞれＬ字型の固定板３１が取付けられている。この固定板３１を、基礎ボルト３２ａ，３２ｂにより設置面Ｆに固定することで、本体ハウジング１２が設置面Ｆに固定される。具体的には、図７に示すように、本体ハウジング１２の前側部位Ａ点を第１の基礎ボルト３２ａで固定し、本体ハウジング１２の後側部位Ｂ点を第２の基礎ボルト３２ｂで固定する。
【００１１】
底壁２２の上面の左右両側には、図２に示すように、一対の第１の支持台３４が設けられている。第１の支持台３４は、吸込配管部１３を支持する支持台である。背壁２１の中段には、図１に示すように、第２の支持台３５が設けられている。第２の支持台３５は、背壁２１に固定される基端部３５ａと、基端部３５ａから一段高く設けられた先端部３５ｂとを有する。第２の支持台３５の基端部３５ａも、吸込配管部１３を支持する支持台である。第２の支持台３５の先端部３５ｂは、吐出配管部１５を支持する支持台である。
【００１２】
本体ハウジング１２の右側壁２７には、第１の貫通孔２７ａおよび第２の貫通孔２７ｂが設けられている。第１の貫通孔２７ａは、右側壁２７の下位部に開口している。第２の貫通孔２７ｂは、右側壁２７の中位部に開口している。左側壁２８には、第３の貫通孔２８ａおよび第４の貫通孔２８ｂが設けられている。第３の貫通孔２８ａは、左側壁２８の下位部において第１の貫通孔２７ａに対応する位置に開口している。第４の貫通孔２８ｂは、左側壁２８の中位部において第２の貫通孔２７ｂに対応する位置に開口している。
【００１３】
吸込配管部１３は、図２および図４に示すように、第１の外部接続配管４１、第１の吸込配管４２、第２の吸込配管４３、第３の吸込配管４４、分岐部としての分岐管４５、ならびに合流部および曲管部としてのラップジョイント（Ｒ）４６を有し、これらで求められている給水流量を確保する。
【００１４】
第１の外部接続配管４１は、客先に引かれた水道本管４８に接続される配管である。第１の外部接続配管４１は、本体ハウジング１２の右側壁２７に設けられた第１の貫通孔２７ａを通じて、外部に突出している。第１の外部接続配管４１の外部に突出した部位の先端には、フランジ部４１ａが設けられている。このフランジ部４１ａが水道本管４８に接続されると、直結給水装置１１は、外部の給水源から水を吸込むことができる。第１の外部接続配管４１の２次側には、分岐管４５が設けられている。
【００１５】
分岐管４５は、図４に示すように、１つの流入口４５ａと２つの流出口４５ｂ，４５ｃとを有する。分岐管４５の流入口４５ａは、第１の外部接続配管４１に接続されている。分岐管４５の第１の流出口４５ｂには、第１の吸込配管４２が接続されている。分岐管４５の第２の流出口４５ｃには、第３の吸込配管４４が接続されている。したがって、分岐管４５に流入した水は２つに分流され、第１の吸込配管４２と第３の吸込配管４４とにそれぞれ導かれる。
【００１６】
第１の吸込配管４２は、長手方向を左右に水平にして、本体ハウジング１２内の前壁２５側の部位に設けられている。第１の吸込配管４２は、第１の支持台３４の上に載置されている。第１の吸込配管４２は、基端部に接続口４２ａを有する。接続口４２ａは、分岐管４５の第１の流出口４５ｂに接続されている。したがって、第１の吸込配管４２には、外部の給水源から水が供給されることになる。第１の吸込配管４２は、途中に第１の逆流防止部５１を有する。第１の逆流防止部５１は、上流側から、第１の止水弁５２、第１の逆流防止装置５３、および第２の止水弁５４を有する。第１の止水弁５２は、ストレーナ付きの止水弁である。第１の逆流防止装置５３は、例えば、中間室とその前後に配置された一対のチャッキ弁などからなる。第１の吸込配管４２の２次側には、ラップジョイント（Ｒ）４６が接続されている。
【００１７】
第３の吸込配管４４は、長手方向を左右に水平にして、本体ハウジング１２内の背壁２１側の部位に設けられている。第３の吸込配管４４は、第１の吸込配管４２と平行となるよう前後に並んで配置される。第３の吸込配管４４は、その口径が、第１の吸込配管４２の口径に比べて小さい。また第３の吸込配管４４は、この吸込配管４４の軸心の高さが第１の吸込配管４２の軸心の高さと同一になるように配置されている。
【００１８】
第３の吸込配管４４は、途中に第２の逆流防止部を有する。第２の逆流防止部５６は、上流側から、第３の止水弁５７、第２の逆流防止装置５８、および第４の止水弁５９を有する。第３の止水弁５７は、ストレーナ付きの止水弁である。第２の逆流防止装置５８は、例えば、中間室とその前後に配置された一対のチャッキ弁などからなる。ここで、第３の止水弁５７、第２の逆流防止装置５８、および第４の止水弁５９の口径も、第１の止水弁５２、第１の逆流防止装置５３、第２の止水弁５４のそれらに比べて小さい。
【００１９】
ラップジョイント（Ｒ）４６は、図４および図５で示すように、水の流れ方向を１８０度反転させるエルボ配管である。ラップジョイント（Ｒ）４６は、流入口４６ａと流出口４６ｂとを有する。ラップジョイント（Ｒ）４６の流入口４６ａは、第１の吸込配管４２に取付けられている。すなわち、ラップジョイント（Ｒ）４６の流入口４６ａは、本体ハウジング１２の前壁２５側の部位に配置されている。一方、ラップジョイント（Ｒ）４６の流出口４６ｂは、本体ハウジング１２の背壁２１側の部位であって、流入口４６ａより上方になるように配置される。換言すれば、ラップジョイント（Ｒ）４６は、流入口４６ａから流出口４６ｂへ向かう管路が、略４５度の傾きで上昇するように、長手方向を斜めにして配置されている。
【００２０】
ラップジョイント（Ｒ）４６の流出口４６ｂには、第２の吸込配管４３が接続されている。ラップジョイント（Ｒ）４６は、流入口４６ａと流出口４６ｂとに、それぞれ管路の外周に沿って進退可能なフランジ４６ｃを有する。このフランジ４６ｃを用いて、ラップジョイント（Ｒ）４６は、第１の吸込配管４２および第２の吸込配管４３に接続されている。
【００２１】
ラップジョイント（Ｒ）４６は、図５に示すように、管部の中央下面側に、接続口４６ｄを有する。一方、第３の吸込配管４４の２次側には、接続配管６１の一端が接続さている。接続配管６１の他端は、ラップジョイント（Ｒ）４６の接続口４６ｄに接続されている。したがって、ラップジョイント（Ｒ）４６の内部では、第３の吸込配管４４を通過した水が、第１の吸込配管４２を通過した水に合流する。
【００２２】
第２の吸込配管４３は、図１に示すように、ラップジョイント（Ｒ）４６の流出口４６ｂに接続され、本体ハウジング１２の背壁２１側の部位に設けられている。すなわち、第２の吸込配管４３は、第３の吸込配管４４の上方に位置する。第２の吸込配管４３は、長手方向を左右に水平にして、第２の支持台３５の基端部３５ａに載置されている。第２の吸込配管４３は、第１の吸込配管４２と平行に並んで配置される。第２の吸込配管４３の下流端は、閉止フランジ６２により水密に閉鎖されている。第２の吸込配管４３は、当該第２の吸込配管４３の長手方向の中心が、本体ハウジング１２を縦に横切る中心線と重なるように配置されている。
【００２３】
第２の吸込配管４３の上面側には、第１から第３の接続口４３ａ、４３ｂ、４３ｃが設けられている。具体的には、第２の接続口４３ｂは、第２の吸込配管４３の長手方向の中央に設けられている。第１の接続口４３ａは、第２の接続口４３ｂより上流側に設けられる。第３の接続口４３ｃは、第２の接続口４３ｂの下流側であって、第１の接続口４３ａに対し第２の接続口４３ｂを中心として線対称となる位置に設けられる。
【００２４】
第１から第３の接続口４３ａ，４３ｂ，４３ｃの上方には、例えば３台の縦型ポンプ部１４が設けられている。縦型ポンプ部１４は、いずれも駆動源、例えば電動モータ６５ｃを有する縦型多段ポンプ６５を備えている。
【００２５】
縦型多段ポンプ６５は、図１に示すように、吸込口６５ａと吐出口６５ｂとを有する。吸込口６５ａは、縦型多段ポンプ６５の下部において、鉛直方向に開口している。吐出口６５ｂは、縦型多段ポンプ６５の中位部において、水平方向に開口している。縦型多段ポンプ６５の吸込口６５ａは、それぞれボール弁６４を介して、第１から第３の接続口４３ａ〜４３ｃに接続されている。
【００２６】
ぞれぞれの縦型多段ポンプ６５の吐出口６５ｂには、連通部６７が接続されている。連通部６７は、第１の連通管６８と第２の連通管６９とを有する。第１の連通管６８は、縦型多段ポンプ６５の吐出口６５ｂに接続され、長手方向を前後に水平にして配置されている。第１の連通管６８は、その途中にチェック弁７０を有する。第１の連通管６８の先端部の下面には、接続口６８ｂが設けられている。
【００２７】
第２の連通管６９は、長手方向を鉛直にして設けられている。第２の連通管６９の基端部に設けられた接続口６９ａは、第１の連通管６８の接続口６８ｂに接続されている。すなわち、第１の連通管６８と第２の連通管６９により、逆Ｌ字形をした連通部６７が形成されている。第２の連通管６９は、その途中にボール弁７１を有する。第２の連通管６９の２次側には、吐出配管部１５が接続されている。  
ここで、第２の連通管６９は、その長さが、途中にボール弁７１を有することができる最小の長さである。
【００２８】
吐出配管部１５は、図３に示すように、吐出配管７３および第２の外部接続配管７４を有する。吐出配管７３は、長手方向を左右に水平にして、第１の吸込配管４２の上方に配置されている。吐出配管７３は、第２の支持台３５の先端部３５ｂに載置されている。吐出配管７３は、吐出配管７３の長手方向の中心が、本体ハウジング１２を縦に横切る中心線と重なるように配置されている。吐出配管７３の上流端は、閉止フランジ７５により、水密に閉鎖されている。
【００２９】
吐出配管７３の上面側には、第４から第６の接続口７３ａ，７３ｂ，７３ｃが設けられている。具体的には、第５の接続口７３ｂは、吐出配管７３の長手方向の中央に設けられている。第４の接続口７３ａは、第５の接続口７３ｂより上流側に設けられている。第６の接続口７３ｃは、第５の接続口７３ｂの下流側であって、第４の接続口７３ａに対し第５の接続口７３ｂを中心として線対称となる位置に設けられている。
【００３０】
第４から第６の接続口７３ａ，７３ｂ，７３ｃにはそれぞれ、連通部６７の第２の連通管６９が接続されている。ここで、第２の連通管６９は、縦型多段ポンプ６５の吸込口６５ａと吐出口６５ｂとの間の長さよりも短い。従って、吐出配管７３は、第２の吸込配管４３に対して段違いに上方に配置されることになる。
【００３１】
これにより、図５に概略的に示すように、吐出配管７３の下方であり、第２の吸込配管４３と本体ハウジング１２の前壁２５との間には、収容空間Ｓが形成されることになる。なお、本実施形態では、図１に示すように、この収容空間Ｓに第１の吸込配管４２の一部が収容されている。吐出配管７３の２次側には、第２の外部接続配管７４が接続されている。
【００３２】
第２の外部接続配管７４は、客先の、例えばマンション内の水道配管（図示しない）に接続される配管である。第２の外部接続配管７４は、本体ハウジング１２の右側壁２７に設けられた第２の貫通孔２７ｂを通じて、外部に突出している。第２の外部接続配管７４の外部に突出した部位の先端には、フランジ部７４ａが設けられている。このフランジ部７４ａが水道配管に接続されることで、直結給水装置１１は外部へ水を給水することができる。
【００３３】
次に、直結給水装置１１の作用について説明する。  
第１の外部接続配管は４１、水道本管４８に接続され、第２の外部接続配管７４は、客先の水道配管に接続されている。
【００３４】
水道本管４８から第１の外部接続配管４１を介して直結給水装置１１内に導かれた水は、まず分岐管４５を通過することになる。水は分岐管４５を通過することで、分岐管４５により２つの水流に分流される。２つに分流された水流のうち１つは、第１の吸込配管４２に導かれる。他の１つの水流は、第３の吸込配管４４に導かれる。
【００３５】
第１の吸込配管４２を通過した水流と、第３の吸込配管４４を通過した水流とは、ラップジョイント（Ｒ）４６において合流し、これらの水流はあわせて第２の吸込配管４３へ導かれる。ここで、第１の吸込配管４２は、その途中に第１の逆流防止部５１を有する。また、第３の吸込配管４４は、その途中に第２の逆流防止部５６を有する。従って、第１の吸込配管４２または第３の吸込配管４４を通過した水は、再び水道本管４８に逆流することはない。
【００３６】
第２の吸込配管４３へと導かれた水流は、それぞれ第１から第３の接続口４３ａ，４３ｂ，４３ｃのいずれかの接続口およびボール弁６４を介して、縦型多段ポンプ６５により吸上げられる。縦型多段ポンプ６５により吸上げられた水流は、ポンプの内部で加圧される。加圧された水は、縦型多段ポンプ６５から連通部６７を介して、吐出配管７３へと送られる。吐出配管７３へと送られた水流は、第２の外部接続配管７４を介して、客先の水道配管へと供給されることになる。
【００３７】
このような構成によれば、吐出配管７３の下方であり、第２の吸込配管４３と本体ハウジング１２の前壁２５との間には、収容空間Ｓが形成される。この空間は、本来、縦型多段ポンプと吐出配管とを結ぶ連通管により占められていたスペースである。本実施形態では、この連通管を必要最小限の長さに限定することで、上記収容空間Ｓを生み出している。そして、この収容空間Ｓに、従来では本体ハウジング内の他のスペースに設けられていた配管などを収容することで、本体ハウジング内のスペースを有効に利用し、装置全体の小型化を図ることができる。
【００３８】
また、収容空間Ｓを形成することで、本体ハウジング１２内に空間的な余裕を持たせることができる。これにより、本体ハウジング１２内に納められた構成部品のメンテナンス性の向上を図ることができる。
【００３９】
本実施形態では、ラップジョイント（Ｒ）４６を介することで、第１の吸込配管４２は、第２の吸込配管４３と並んで配置される。すなわち、吸込配管部１３は、Ｕ字形状に形成されることになる。これにより、吸込配管部１３の必要な管長さを確保しつつ、吸込配管部１３の横寸法を小さくすることができる。したがって、さらに装置全体の横寸法の縮小を図ることができる。本実施形態では、特にこの収容空間Ｓのスペースに、第１の吸込配管４２の一部を収容している。したがって、高さ寸法の増大を抑制しつつ、横寸法の縮小化を図り、据付面積を小さくすることができる。
【００４０】
直結給水装置１１は、途中に逆流防止部５１を有する第１の吸込配管４２，および逆流防止部５６を有する第３の吸込配管４４を備える。これにより、例えば片方の吸込配管を閉鎖しても、もう片方の吸込配管を開放することにより、流入は減少するが装置の運転を休止しなくてすむ。したがって、吸込配管のメンテナンスや点検の際に、断水を回避することができる。
【００４１】
また、第３の吸込配管４４の口径は、第１の吸込配管４２の口径に比して小さい。すなわち、前壁２５側に口径の大きな吸込配管を配置し、背壁２１側に口径の小さな吸込配管を配置している。背壁２１側に口径の小さな吸込配管を配置することで、第３の吸込配管４４の高いメンテナンス性を確保することができる。
【００４２】
従来の直結給水装置１０１は、図１３に示すように、装置の背壁２１側に重量のある部品が集中している。このため、装置の重心が、中心線より後ろ側にある。その結果、装置の前側（図中Ｘ点）の第１の基礎ボルト１０７ａと、装置の後側（図中Ｙ点）の第２の基礎ボルト１０７ｂに加わる荷重、およびモーメント荷重が異なることになる。例えば、第１の基礎ボルト１０７ａに加わる転倒モーメント荷重ＭＸは、第２の基礎ボルト１０７ｂに加わる転倒モーメント荷重ＭＹに比べて大きい。そして通常、この基礎ボルト１０７ａ，１０７ｂは、この大きい方のモーメント荷重ＭＸを基準にして設計される。すなわち、第２の基礎ボルト１０７ｂは、それに加わるモーメント荷重ＭＹの大きさからすれば、不必要に大きな規格のものが用いられることになる。
【００４３】
しかし、本実施形態に係る直結給水装置１１では、図７に示すように、装置の前後に重量のある部品が分散して配置されている。従って、装置の重心と、装置の中心線とを近づけることができる。その結果、装置の前側（図中Ａ点）の第１の基礎ボルト３２ａに加わるモーメント荷重ＭＡと、装置の後側（図中Ｂ点）の第２の基礎ボルト３２ｂに加わるモーメント荷重ＭＢとを、略同じにすることができる。したがって、両基礎ボルト３２ａ，３２ｂを必要最小限の大きさにおさめることができ、コストダウンを図ることができる。
【００４４】
〔第２の実施形態〕
図８から図１１に、本発明の第２の実施形態に係る直結給水装置１１ａを示す。なお第１の実施形態と同じ機能を有する構成は、同一の符号を付してその説明を省略する。直結給水装置１１ａは、さらにドレン配管８１とアキュムレータ８２とを有する。
【００４５】
ドレン配管８１は、第１の吸込配管４２の途中に設けられた第１の逆流防止装置５３の下面のドレン口に接続されている。ドレン配管８１は、吸込配管４２などに溜まるドレン水を外部に排出するための配管である。
【００４６】
アキュムレータ８２は、吐出配管７３の上方に設けられ、吐出配管７３に接続されている。直結給水装置１１ａは、使用水量が多いときには、ポンプ６５を駆動して水を給水する。一方、使用水量が所定量より少ない場合には、ポンプ６５を停止させ、このアキュムレータ８２に蓄えられた水を供給する。なお、図１０中に２点鎖線で示すアキュムレータ８２ａをさらに設けるなど、複数個のアキュムレータを設けてもよい。
【００４７】
この給水装置１１ａにおいて、第２の吸込配管４３の長手方向の中心は、本体ハウジング１２の中心線と重なっている。また、第２の吸込配管４３に設けられた第１および第３の接続口４３ａ，４３ｃも、第２の接続口４３ｂを基点として線対称になるように形成されている。すなわち、第２の吸込配管４３は、本体ハウジング１２の中心線を基点として、左右に線対称に形成されている。吐出配管７３の長手方向の中心は、本体ハウジング１２の中心線と重なっている。また吐出配管７３に設けられた第４および第６の接続口７３ａ，７３ｃも、第５の接続口７３ｂを基点として線対称になるように形成されている。すなわち、吐出配管７３は、本体ハウジング１２の中心線を基点として、左右に線対称に形成されている。
【００４８】
これにより、例えば図１０中に示すように、客先の水道管への接続口を左側面に設けなければならない場合でも、既存の第２の吸込配管４３および吐出配管７３を左右逆向きに取付け直すことで、新たな部品を要せずに、また縦型多段ポンプ６５を移動させることなく、装置を構成することができる。なおこのとき、第１の外部接続配管４１は、左側壁２８に開口した第３の貫通孔２８ａを通じて外部へ突出し、第２の外部接続配管７４は、第４の貫通孔２８ｂを通じて外部へ突出することになる。
【００４９】
また、第１の外部接続配管４１と第２の外部接続配管７４とが同一の方向を向いている必要はなく、例えば、第１の外部接続配管４１が右側面へ突出するように吸込配管部１３を取付け、第２の外部接続配管７４が左側面へ突出するように吐出配管部１５を取付けてもよく、またその逆にそれぞれを取付けてもよい。
【００５０】
これにより、直結給水装置１１ａの設置場所をさらに柔軟に選択することができる。なお、上記は直結給水装置１１ａの例を用いて説明したが、もちろん第１の実施形態に係る直結給水装置１１でも同様の効果が達成することができる。
【００５１】
〔第３の実施形態〕
図１２に、本発明の第３の実施形態に係る直結給水装置１１ｂを示す。なお第１の実施形態と同じ機能を有する構成は、同一の符号を付してその説明を省略する。直結給水装置１１ｂは、第１の吸込配管４２と同じ口径をもつ第３の吸込配管４４ａを有する。
【００５２】
すなわち、本実施形態に係る直結給水装置１１ｂのように、口径の大きな第３の吸込配管４４ａを備えても、収容空間Ｓを形成することで据付面積の縮小化を図ることができる。ただし、第１の実施形態に係る第３の吸込配管４４のように、第１の吸込配管４２の口径に比べて小さい口径を有する吸込配管を用い、両配管４２、４４の軸線の高さを略同一にして配置することで、第２の吸込配管４３の下方の空間を有効利用して、装置の縦方向の寸法増大を避けることができる。
【００５３】
なお、上述したいずれの本実施形態では、収容空間Ｓに第１の吸込配管４２の一部を収容した。しかし、収容空間Ｓには、第１の吸込配管４２を収容せず、例えば他の配管などの部品を収容してもよい。ただし、第１の吸込配管４２を収容することで、前述したように、高さ寸法の増大を抑えた上で、横寸法の縮小化を図ることができる。
【００５４】
上述のいずれの本実施形態では、縦型多段ポンプを複数個設けているが、少なくとも１つあればよい。また、第１および第３の止水弁５２，５７は、ストレーナ内蔵の止水弁でなくてもよい。すなわち、これらの止水弁５２，５７の代わりに、通常の止水弁とストレーナを直列に設けてもよい。水の流れ方向を１８０度反転させる曲管部は、ラップジョイント（Ｒ）に限定されず、１８０度エルボ、または２つの９０度エルボを用いてもよい。
【図面の簡単な説明】
【００５５】
【図１】本発明の第１の実施形態に係る直結給水装置の側断面図。
【図２】図１中に示された直結給水装置のＡ１−Ａ１線に沿う正断面図。
【図３】図１中に示された直結給水装置のＡ２−Ａ２線に沿う正断面図。
【図４】図２中に示された直結給水装置のＢ−Ｂ線に沿う平断面図。
【図５】図２中に示されたラップジョイント（Ｒ）を一部断面で示す平面図。
【図６】図１中に示された直結給水装置に形成された収容空間を概略的に示す側断面図。
【図７】図１中に示された直結給水装置に加わる転倒モーメントを模式的に示す側面図。
【図８】本発明の第２の実施形態に係る直結給水装置の正断面図。
【図９】図８中に示された直結給水装置のＣ−Ｃ線に沿う平断面図。
【図１０】図８中に示された直結給水装置の吸込配管部および吐出配管部を左右逆向きに取付けた場合を示す正断面図。
【図１１】図１０中に示された直結給水装置のＤ−Ｄ線に沿う平断面図。
【図１２】本発明の第３の実施形態に係る直結給水装置の側断面図。
【図１３】従来の直結給水装置を示す側断面図。
【符号の説明】
【００５６】
Ｓ…収容空間、１１…直結給水装置、１２…本体ハウジング、１３…吸込配管部、１４…縦型ポンプ部、１５…吐出配管部、２１…背壁、２５…前壁、４１…第１の外部接続配管、４２…第１の吸込配管、４３…第２の吸込配管、４４…第３の吸込配管、４５…分岐管、４６…ラップジョイント（Ｒ）、４８…水道本管、５１…第１の逆流防止部、５６…第２の逆流防止部、６５…縦型多段ポンプ、６５ａ…吸込口、６５ｂ…吐出口、６７…連通部、６８…第１の連通管、６９…第２の連通管、７３…吐出配管、７４…第２の外部接続配管。
【図１】
2006316719.tif 000003
【図２】
2006316719.tif 000004
【図３】
2006316719.tif 000005
【図４】
2006316719.tif 000006
【図５】
2006316719.tif 000007
【図６】
2006316719.tif 000008
【図７】
2006316719.tif 000009
【図８】
2006316719.tif 000010
【図９】
2006316719.tif 000011
【図１０】
2006316719.tif 000012
【図１１】
2006316719.tif 000013
【図１２】
2006316719.tif 000014
【図１３】
2006316719.tif 000015